(57)【要約】【課題】各々が１２ビットワード列データとされる３個のデータ系列がパラレル多重されて形成されるディジタル映像信号を成すパラレルデータを、２チャンネルのシリアルデータに変換して、適正にシリアル伝送できるものとする。【解決手段】量子化ビット数を１２ビットとする４：４：４形式のＤ−Ｃｉｎｅｍａ信号を構成する各１２ビットワードを上位１０ビットと下位２ビットとに分割し、上位１０ビットのうちに禁止コードに該当する特定１０ビットが混在するとき、特定１０ビットがＧ，Ｂ，Ｒデータ系列のいずれに属するものかを示す識別データを得、さらに、特定１０ビットを禁止コードに該当しない１０ビットをもって置き換えるとともに、下位２ビットのうちの特定１０ビットに対応するものを置換用２ビットで置き換え、上位１０ビットに基づく２０ビットワード列データと下位２ビットと識別データとに基づく２０ビットワード列データとを形成し、それらを２チャンネルのシリアルデータに変換して伝送する。【選択図】図４
2005192043.tif 000002
【特許請求の範囲】
【請求項１】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位１０ビットと下位２ビットとに分割する処理を施し、
分割された上位１０ビットのうちに予め設定された禁止コードに該当する特定１０ビットが混在するとき、該特定１０ビットを含んでいた上記１２ビットワードの一つが上記第１，第２及び第３のデータ系列のいずれに所属するものかをあらわす識別データを得、さらに、上記特定１０ビットを上記禁止コードに該当しない他の１０ビットをもって置き換えるとともに、分割された下位２ビットのうちの上記特定１０ビットと共に上記１２ビットワードの一つを形成していた特定２ビットを、予め設定された置換用２ビットをもって置き換えて、
上記分割された上位１０ビットが形成するワード、もしくは、上記分割された上位１０ビット及び上記他の１０ビットの夫々が形成するワードが連なって成る第１のワード列データと、上記分割された下位２ビットと上記識別データとを含む１０ビット、もしくは、上記分割された下位２ビットと上記置換用２ビットと上記識別データとを含む１０ビットが形成するワードが連なって成る第２のワード列データとを形成し、
上記第１及び第２のワード列データに夫々基づく第１及び第２のシリアルデータを得て、該第１及び第２のシリアルデータを伝送すべく送出するデータ伝送方法。
【請求項２】
上記他の１０ビットを、上記特定１０ビットを含んでいた上記１２ビットワードの一つにおける下位１０ビットに、該下位１０ビットを構成するビットのうちの一つもしくは複数についてのビット反転処理を施したものとすることを特徴とする請求項１記載のデータ伝送方法。
【請求項３】
上記特定１０ビットを含んでいた上記１２ビットワードの一つにおける下位１０ビットのうちの最下位ビットを１番目として上位側に数えて５番目のビットについて、ビット反転処理を施すことを特徴とする請求項２記載のデータ伝送方法。
【請求項４】
上記第２のワード列データを、上記第１，第２及び第３のデータ系列に夫々属する３個に１２ビットワードの各々から分割された３個の下位２ビット、もしくは、該３個の下位２ビットうちの少なくとも一つが上記置換用２ビットにより置き換えられて成る３個の下位２ビットと上記識別データとを含む１０ビットが形成するワードが連なって成るものとすることを特徴とする請求項１記載のデータ伝送方法。
【請求項５】
上記識別データを４ビット構成となすことを特徴とする請求項４記載のデータ伝送方法。
【請求項６】
上記置換用２ビットを“０１”及び“１０”のいずれかとすることを特徴とする請求項５記載のデータ伝送方法。
【請求項７】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位１０ビットと下位２ビットとに分割する処理を施し、
分割された上位１０ビットのうちに予め設定された禁止コードに該当する特定１０ビットが混在するとき、該特定１０ビットを含んでいた上記１２ビットワードの一つが上記第１，第２及び第３のデータ系列のいずれに所属するものかをあらわす識別データを得、さらに、上記特定１０ビットを構成するビットのうちの一つもしくは複数についてのビット反転処理を施して、該特定１０ビットを上記禁止コードに該当しない１０ビットに変換して、
上記分割された上位１０ビットが形成するワード、もしくは、上記分割された上位１０ビット及び上記特定１０ビットが変換されて得られる１０ビットの夫々が形成するワードが連なって成る第１のワード列データと、上記分割された下位２ビットと該分割された下位２ビットの一つを構成するビットのうちの一つについての反転ビットと上記識別データとを含む１０ビットが形成するワードが連なって成る第２のワード列データとを形成し、
上記第１及び第２のワード列データに夫々基づく第１及び第２のシリアルデータを得て、該第１及び第２のシリアルデータを伝送すべく送出するデータ伝送方法。
【請求項８】
上記特定１０ビットを構成するビットのうちの最下位ビットを１番目として上位側に数えて３番目のビットについて、ビット反転処理を施すことを特徴とする請求項７記載のデータ伝送方法。
【請求項９】
上記第２のワード列データを、上記第１，第２及び第３のデータ系列に夫々属する３個に１２ビットワードの各々から分割された３個の下位２ビットと該３個の下位２ビットの一つを構成するビットのうちの一つについての反転ビットと上記識別データとを含む１０ビットが形成するワードが連なって成るものとすることを特徴とする請求項７記載のデータ伝送方法。
【請求項１０】
上記識別データを３ビット構成となすことを特徴とする請求項９記載のデータ伝送方法。
【請求項１１】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位９ビットと下位３ビットとに分割する処理を施し、
分割された上位９ビットの夫々に、該上位９ビットを構成するビットのうちの一つについての反転ビットを加えて１０ビットを得、該１０ビットが形成するワードが連なって成る第１のワード列データと、分割された下位３ビットの夫々と該分割された下位３ビットの一つを構成するビットのうちの一つについての反転ビットとを含む１０ビットが形成するワードが連なって成る第２のワード列データとを形成し、
上記第１及び第２のワード列データに夫々基づく第１及び第２のシリアルデータを得て、該第１及び第２のシリアルデータを伝送すべく送出するデータ伝送方法。
【請求項１２】
上記上位９ビットを構成するビットのうちの一つについての反転ビットを、上記上位９ビットを構成するビットのうちの最上位ビットについての反転ビットとすることを特徴とする請求項１１記載のデータ伝送方法。
【請求項１３】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位１０ビットと下位２ビットとに分割する処理を施すビット分割手段，該ビット分割手段により分割された上位１０ビットに混在する予め設定された禁止コードに該当する特定１０ビットを検出する禁止コード検出手段、及び、該禁止コード検出手段により検出された上記特定１０ビットを含んでいた上記１２ビットワードの一つが上記第１，第２及び第３のデータ系列のいずれに所属するものかをあらわす識別データを得る識別データ発生手段を含み、上記禁止コード検出手段により上記特定１０ビットが検出されるとき、該特定１０ビットを上記禁止コードに該当しない他の１０ビットをもって置き換えるとともに、上記ビット分割手段により分割された下位２ビットのうちの上記特定１０ビットと共に上記１２ビットワードの一つを形成していた特定２ビットを、予め設定された置換用２ビットをもって置き換え、上記分割された上位１０ビットが形成するワード、もしくは、上記分割された上位１０ビット及び上記他の１０ビットの夫々が形成するワードが連なって成る第１のワード列データと、上記分割された下位２ビットと上記識別データ発生手段から得られる識別データとを含む１０ビット、もしくは、上記分割された下位２ビットと上記置換用２ビットと上記識別データとを含む１０ビットが形成するワードが連なって成る第２のワード列データとを形成するデータ処理部と、
該データ処理部から得られる上記第１及び第２のワード列データに夫々基づく第１及び第２のシリアルデータを得るパラレル・シリアル変換部と、
該パラレル・シリアル変換部から得られる上記第１及び第２のシリアルデータを伝送すべく送出するデータ送出部と、
を備えて構成されるデータ伝送装置。
【請求項１４】
上記データ処理部が、上記他の１０ビットを、上記特定１０ビットを含んでいた上記１２ビットワードの一つにおける下位１０ビットに、該下位１０ビットを構成するビットのうちの一つもしくは複数についてのビット反転処理を施したものとすることを特徴とする請求項１３記載のデータ伝送装置。
【請求項１５】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位１０ビットと下位２ビットとに分割する処理を施すビット分割手段，該ビット分割手段により分割された上位１０ビットに混在する予め設定された禁止コードに該当する特定１０ビットを検出する禁止コード検出手段、及び、該禁止コード検出手段により検出された上記特定１０ビットを含んでいた上記１２ビットワードの一つが上記第１，第２及び第３のデータ系列のいずれに所属するものかをあらわす識別データを得る識別データ発生手段を含み、上記禁止コード検出手段により上記特定１０ビットが検出されるとき、該特定１０ビットを構成するビットのうちの一つもしくは複数についてのビット反転処理を施して、該特定１０ビットを上記禁止コードに該当しない１０ビットに変換し、上記分割された上位１０ビットが形成するワード、もしくは、上記分割された上位１０ビット及び上記特定１０ビットが変換されて得られる１０ビットの夫々が形成するワードが連なって成る第１のワード列データと、上記ビット分割手段により分割された下位２ビットと該分割された下位２ビットの一つを構成するビットのうちの一つについての反転ビットと上記識別データ発生手段から得られる識別データとを含む１０ビットが形成するワードが連なって成る第２のワード列データとを形成するデータ処理部と、
該データ処理部から得られる上記第１及び第２のワード列データに夫々基づく第１及び第２のシリアルデータを得るパラレル・シリアル変換部と、
該パラレル・シリアル変換部から得られる上記第１及び第２のシリアルデータを伝送すべく送出するデータ送出部と、
を備えて構成されるデータ伝送装置。
【請求項１６】
各々が１２ビットワード列データとされた第１，第２及び第３のデータ系列がパラレル多重されて形成され、ディジタル映像信号を成すパラレルデータに、上記１２ビットワード列データの夫々における各１２ビットワードを上位９ビットと下位３ビットとに分割する処理を施すビット分割手段を含み、該ビット分割手段により分割された上位９ビットの夫々に、該上位９ビットを構成するビットのうちの一つについての反転ビットを加えて１０ビットを得、該１０ビットが形成するワードが連なって成る第１のワード列データと、上記ビット分割手段により分割された下位３ビットの夫々と該分割された下位３ビットの一つを構成するビットのうちの一つについての反転ビットとを含む１０ビットが形成するワードが連なって成る第２のワード列データとを形成するデータ処理部と、
該データ処理部から得られる上記第１及び第２のワード列データに夫々基づく第１及び第２のシリアルデータを得るパラレル・シリアル変換部と、
該パラレル・シリアル変換部から得られる上記第１及び第２のシリアルデータを伝送すべく送出するデータ送出部と、
を備えて構成されるデータ伝送装置。
【発明の詳細な説明】
【技術分野】
【０００１】
本願の特許請求の範囲に記載された発明は、映像信号情報をあらわすディジタル映像信号を成すものとされる、量子化ビット数が１２ビットとされたパラレルデータをシリアル伝送するデータ伝送方法及びその実施に供されるデータ伝送装置に関する。
【背景技術】
【０００２】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン(High Definition Television:ＨＤＴＶ）システム等が提案されている。ＨＤＴＶシステムのもとにおけるディジタル映像信号（以下、ＨＤ信号という）は、所定のデータフォーマットに従ったワード列データとして形成され、Ｙ，ＰB ／ＰR 形式のものとＧ，Ｂ，Ｒ形式のものとがある。Ｙ，ＰB ／ＰR 形式の場合、Ｙは輝度信号を意味し、ＰB 及びＰR は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰB ／ＰR 形式のＨＤ信号は、例えば、各々が１０ビットワードが連なって成る１０ビットワード列データとされるＹデータ系列とＰB ／ＰR データ系列とが、フレーム同期及びライン同期がとられたもとでパラレル多重されて形成され、全体で、例えば、１０ビットワード×２＝２０ビットワードが連なって成る２０ビットワード列データの形態をとるものとされる。また、Ｇ，Ｂ，Ｒ形式のＨＤ信号は、例えば、各々が１０ビットワード列データとされるＧデータ系列とＢデータ系列とＲデータ系列とが、夫々のラインブランキング期間部分の同期がとられたもとでパラレル多重されて形成され、全体で、例えば、１０ビットワード×３＝３０ビットワードが連なって成る３０ビットワード列データの形態をとるものとされる。
【０００４】
現行のＨＤＴＶシステムにあっては、フレームレートが３０／１．０００Ｈｚもしくは３０／１．００１Ｈｚ（以下、これらのいずれをも３０Ｈｚという）とされたもとでの飛び越し走査用とされたＹ，ＰB ／ＰR 形式もしくはＧ，Ｂ，Ｒ形式のＨＤ信号が用いられているが、これに対して、次世代のＨＤＴＶシステムとして、５０Ｈｚ，６０Ｈｚ／１．０００Ｈｚもしくは６０／１．００１Ｈｚ（以下、これらのいずれをも６０Ｈｚという）等とされたもとで、各フレーム画像が第１及び第２フィールドに分けられることなく形成される順次走査用とされた、Ｙ，ＰB ／ＰR 形式もしくはＧ，Ｂ，Ｒ形式のＨＤ信号を用いるシステムが提案されている。順次走査用とされた、Ｙ，ＰB ／ＰR 形式もしくはＧ，Ｂ，Ｒ形式のＨＤ信号は、プログレッシブ（Progressive)方式のＨＤ信号と称される。
【０００５】
フレームレートが５０Ｈｚあるいは６０Ｈｚとされたプログレッシブ方式のＨＤ信号を成すディジタルデータは、米国のＳＭＰＴＥ（Society of Motion Picture and Television Engineers: 動画及びテレビジョン技術者協会）により制定された規格:SMPTE 274M によるデータフォーマットの規格化が図られている（非特許文献１参照。）。斯かる SMPTE 274M により規格化されたデータフォーマットにあっては、フレームレート: ５０Ｈｚあるいは６０Ｈｚの他、ラインあたりの有効データサンプル数：１９２０サンプル，フレームあたり有効ライン数：１０８０ライン，サンプリング周波数：１４８．５／１．０００ＭＨｚもしくは１４８．５／１．００１ＭＨｚ（以下、これらのいずれをも１４８．５ＭＨｚという），量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【０００６】
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が１０ビットである場合、禁止コードは、１６進表現で０００ｈ〜００３ｈ及び３ＦＣｈ〜３ＦＦｈ（添字ｈは１６進数であることをあらわす）、即ち、 00 0000 0000 〜 00 0000 0011 及び 11 1111 1100 〜 11 1111 1111 とされる。そして、これらの禁止コードは、例えば、それらのうちの０００ｈ及び３ＦＦｈが、各映像データ部の前後に夫々配される一対のタイミング基準コードデータＳＡＶ(Start of Active Video) 及びＥＡＶ(End of Active Video）を構成するものとして用いられるものとされる。
【０００７】
なお、Ｙ，ＰB ／ＰR 形式の場合、ＰB データ系列及びＰR データ系列の夫々のサンプリング周波数が、Ｙデータ系列のサンプリング周波数の１／２とされる。以下おいては、必要に応じて、Ｙ，ＰB ／ＰR 形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【０００８】
また、こうしたＨＤ信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【０００９】
Ｄ−Ｃｉｎｅｍａ信号は、例えば、フレームレートを２４／１．０００Ｈｚもしくは２４／１．００１Ｈｚ（以下、これらのいずれをも２４Ｈｚという）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ等も考えられる。このようなＤ−Ｃｉｎｅｍａ信号も、Ｙ，ＰB ／ＰR 形式のものとＧ，Ｂ，Ｒ形式のものとがあり、Ｙ，ＰB ／ＰR 形式の場合には、例えば、各々が１０ビットワード列データとされるＹデータ系列とＰB ／ＰR データ系列とが、フレーム同期及びライン同期がとられたもとでパラレル多重されて形成され、全体で、例えば、２０ビットワードが連なって成る２０ビットワード列データの形態をとるものとされ、また、Ｇ，Ｂ，Ｒ形式の場合には、例えば、各々が１０ビットワード列データとされるＧデータ系列とＢデータ系列とＲデータ系列とが、夫々のラインブランキング期間部分の同期がとられたもとでパラレル多重されて形成され、全体で、例えば、３０ビットワードが連なって成る３０ビットワード列データの形態をとるものとされる。
【００１０】
そして、Ｄ−Ｃｉｎｅｍａ信号については、ＨＤ信号の場合と異なり、映像信号情報をあらわすためには用いられないコードである禁止コードの定めは設けられていない。即ち、Ｄ−Ｃｉｎｅｍａ信号にあっては、例えば、１６進表現で０００ｈ〜００３ｈ及び３ＦＣｈ〜３ＦＦｈとされるＨＤ信号における禁止コードも、映像信号情報をあらわすためのコードとして用いられ得るのである。
【００１１】
なお、フレームレートを２４Ｈｚ，２５Ｈｚ及び３０Ｈｚとするディジタル映像信号を成すディジタルデータについては、そのフォーマットが SMPTE 274M により規格化されており、フレームレート: ２４Ｈｚ，２５Ｈｚ，３０Ｈｚの他、ラインあたりの有効データサンプル数：１９２０サンプル，フレームあたりの有効ライン数：１０８０ライン，サンプリング周波数：７４．２５／１．０００ＭＨｚもしくは７４．２５／１．００１ＭＨｚ，量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１２】
こうした状況の中で、ＨＤ信号あるいはＤ−Ｃｉｎｅｍａ信号を形成するディジタルデータについて、例えば、それに基づいて再生される画像の解像度の更なる向上を求めて、量子化ビット数を、従前の１０ビットを越えるビット数、例えば、１２ビットとすることが望まれるようになってきている。
【００１３】
量子化ビット数を、例えば、１０ビットもしくは１２ビットとするＨＤ信号あるいはＤ−Ｃｉｎｅｍａ信号が、例えば、同軸ケーブル，オプティカル・ファイバー等によって形成されるデータ伝送路を通じて伝送されるに際しては、データ伝送路の構造が簡略化されることからして、ＨＤ信号あるいはＤ−Ｃｉｎｅｍａ信号がワード列データ（パラレルデータ）からビット列データ（シリアルデータ）に変換されて伝送されるシリアル伝送が望まれることになる。そして、量子化ビット数を１０ビットとする４：２：２形式のＨＤ信号のシリアル伝送に関しては、ＳＭＰＴＥによる規格化がなされており、ＳＭＰＴＥよって制定された規格:SMPTE 292M による HD-SDI (High Definition Serial Digital Interface)に準拠した伝送が行われる（非特許文献２参照。）。さらに、量子化ビット数を１２ビットとするＨＤ信号のシリアル伝送に関しても、ＳＭＰＴＥによる規格化が図られており、ＳＭＰＴＥよって提案された規格:SMPTE 372M による Dual Link 292M Interface に準拠した伝送が行われる（非特許文献３参照。）。
【００１４】
SMPTE 292M による HD-SDI に準拠した伝送にあっては、量子化ビット数を１０ビットとし、禁止コードを含んで構成されたタイミング基準コードデータＳＡＶ及びＥＡＶが挿入された４：２：２形式のＨＤ信号が、データレート（ビットレート）を、例えば、１．４８５／１．０００Ｇb/s もしくは１．４８５／１．００１Ｇb/s とする１チャンネルのビット列データに変換されて、データ伝送路を通じた伝送に供される。また，SMPTE 372Mによる Dual Link 292M Interface に準拠した伝送にあっては、量子化ビット数を１２ビットとし、禁止コードを含んで構成されたタイミング基準コードデータＳＡＶ及びＥＡＶが挿入されたＨＤ信号が、データレート（ビットレート）を、例えば、１．４８５／１．０００Ｇb/s もしくは１．４８５／１．００１Ｇb/s とする２チャンネルのビット列データに変換されて、さらには、必要に応じて、斯かる２チャンネルのビット列データが多重されてデータレート（ビットレート）を、例えば、２．９７０／１．０００Ｇb/s もしくは２．９７０／１．００１Ｇb/s とする１チャンネルの多重ビット列データを形成するものとされて、データ伝送路を通じた伝送に供される。
【非特許文献１】SMPTE STANDARD SMPTE 274-1998, for Television −1920×1080 Scanning and Analog and Parallel Digital Interfaces for Multiple Picture Rates
【非特許文献２】SMPTE STANDARD SMPTE 292M-1998, for Television− Bit-Serial Digital Interface for High-Definition Television Systems
【非特許文献３】PROPOSED SMPTE STANDARD SMPTE 372M, for Television− Dual Link 292M Interface for 1920×1080 Picture Raster
【発明の開示】
【発明が解決しようとする課題】
【００１５】
上述のように、量子化ビット数を１０ビットとする４：２：２形式のＨＤ信号及び量子化ビット数を１２ビットとするＨＤ信号のシリアル伝送については、ＳＭＰＴＥによる規格化の対象とされているが、例えば、禁止コードが設けられていないＤ−Ｃｉｎｅｍａ信号のシリアル伝送にあっては、ＳＭＰＴＥによる規格化の対象とされていない。そこで、例えば、量子化ビット数を１２ビットとする４：４：４形式のＤ−Ｃｉｎｅｍａ信号のシリアル伝送にあたっては、SMPTE 372Mによる Dual Link 292M Interface に準拠した伝送がなされる量子化ビット数を１２ビットとするＨＤ信号の場合と同様の伝送を行うことが考えられる。即ち、量子化ビット数を１２ビットとする４：４：４形式のＤ−Ｃｉｎｅｍａ信号を、データレート（ビットレート）を、例えば、１．４８５／１．０００Ｇb/s もしくは１．４８５／１．００１Ｇb/s とする２チャンネルのシリアルデータに変換して伝送するようにするのであり、それが可能であれば、SMPTE 372Mによる Dual Link 292M Interface に準拠した伝送に供される回路構成要素を利用して、量子化ビット数を１２ビットとする４：４：４形式のＤ−Ｃｉｎｅｍａ信号のシリアル伝送を実現できることになる。
【００１６】
しかしながら、SMPTE 372Mによる Dual Link 292M Interface に準拠した伝送は、予め設定された禁止コードの定めが設けられて、各映像データ部には禁止コードが現れないものとされるＨＤ信号を対象とするものとされている。それゆえ、禁止コードの定めが設けられていないＤ−Ｃｉｎｅｍａ信号が対象とされる場合には、Ｄ−Ｃｉｎｅｍａ信号における映像データ部にＨＤ信号における禁止コードがあらわれる可能性があり、実際にＤ−Ｃｉｎｅｍａ信号における映像データ部に禁止コードがあらわれると、例えば、伝送されたシリアルデータを受けるデータ受信側において、受信したシリアルデータから元のＤ−Ｃｉｎｅｍａ信号を適正に再生できなくなってしまう等の、データ伝送上の不都合を生じることになってしまう。
【００１７】
そこで、このようなＤ−Ｃｉｎｅｍａ信号が禁止コードの定めが設けられていないものであることに起因する不都合を回避できるもとで、例えば、量子化ビット数を１２ビットとする４：４：４形式のＤ−Ｃｉｎｅｍａ信号のシリアル伝送を実現できるデータ伝送システムが望まれるところとなるが、従来にあっては、斯かるＤ−Ｃｉｎｅｍａ信号のシリアル伝送を適切に実現できる伝送システムの具体例は見当たらない。また、このようなシリアル伝送システムに関する技術について記載された文献等も見出せない。
【００１８】
斯かる点に鑑み、本願の特許請求の範囲に記載された発明は、例えば、量子化ビット数を１２ビットとする４：４：４形式のＤ−Ｃｉｎｅｍａ信号のような、各々が１２ビットワード列データとされる３個のデータ系列がパラレル多重されて形成されるディジタル映像信号を成すパラレルデータを、それを２チャンネルのシリアルデータに変換し、例えば、斯かる２チャンネルのシリアルデータを互いに波長を異にする二つの光信号に変換し、さらに、それらを波長多重して多重光信号を得て、それを一つのデータ伝送路を通じて伝送することができ、しかも、その際、伝送されるシリアルデータを、それを受けるデータ受信側において元のパラレルデータの再生が適正に行われるものとなすことができるデータ伝送方法及びその実施に供されるデータ伝送装置を提供する。
【課題を解決するための手段】
【００１９】
本願の特許請求の範囲における請求項１から請求項６までのいずれかに記載された発明に係るデータ伝送方法は、各々が１２ビットワード列データとされた第１，第２及び第３のデータ系列がパラレル多重されて形成され、ディジタル映像信号を成すパラレルデータに、各１２ビットワード列データにおける各１２ビットワードを上位１０ビットと下位２ビットとに分割する処理を施し、分割された上位１０ビットのうちに予め設定された禁止コードに該当する特定１０ビットが混在するとき、その特定１０ビットを含んでいた１２ビットワードの一つが第１，第２及び第３のデータ系列のいずれに所属するものかをあらわす識別データを得、さらに、特定１０ビットを禁止コードに該当しない他の１０ビットをもって置き換えるとともに、分割された下位２ビットのうちの特定１０ビットと共に１２ビットワードの一つを形成していた特定２ビットを、予め設定された置換用２ビットをもって置き換えて、分割された上位１０ビットが形成するワード、もしくは、分割された上位１０ビット及び上述の他の１０ビットの夫々が形成するワードが連なって成る第１のワード列データと、分割された下位２ビットと識別データとを含む１０ビット、もしくは、分割された下位２ビットと置換用２ビットと識別データとを含む１０ビットが形成するワードが連なって成る第２のワード列データとを形成し、第１及び第２のワード列データに夫々基づく第１及び第２のシリアルデータを得て、それらを伝送すべく送出するものとされる。
【００２０】
特に、本願の特許請求の範囲における請求項２に記載された発明に係るデータ伝送方法にあっては、上述に加えて、禁止コードに該当する特定１０ビットを禁止コードに該当しない他の１０ビットをもって置き換えるにあたり、当該他の１０ビットを、特定１０ビットを含んだ１２ビットワードの一つにおける下位１０ビットに、それを構成するビットのうちの一つもしくは複数についてのビット反転処理を施したものとする。
【００２１】
本願の特許請求の範囲における請求項７から請求項１０までのいずれかに記載された発明に係るデータ伝送方法は、各々が１２ビットワード列データとされた第１，第２及び第３のデータ系列がパラレル多重されて形成され、ディジタル映像信号を成すパラレルデータに、各１２ビットワード列データにおける各１２ビットワードを上位１０ビットと下位２ビットとに分割する処理を施し、分割された上位１０ビットのうちに予め設定された禁止コードに該当する特定１０ビットが混在するとき、その特定１０ビットを含んでいた１２ビットワードの一つが第１，第２及び第３のデータ系列のいずれに所属するものかをあらわす識別データを得、さらに、特定１０ビットを構成するビットのうちの一つもしくは複数についてのビット反転処理を施して、当該特定１０ビットを禁止コードに該当しない１０ビットに変換して、分割された上位１０ビットが形成するワード、もしくは、分割された上位１０ビット及び特定１０ビットが変換されて得られる１０ビットの夫々が形成するワードが連なって成る第１のワード列データと、分割された下位２ビットと分割された下位２ビットの一つを構成するビットのうちの一つについての反転ビットと識別データとを含む１０ビットが形成するワードが連なって成る第２のワード列データとを形成し、第１及び第２のワード列データに夫々基づく第１及び第２のシリアルデータを得て、それらを伝送すべく送出するものとされる。
【００２２】
本願の特許請求の範囲における請求項１１または１２に記載された発明に係るデータ伝送方法は、各々が１２ビットワード列データとされた第１，第２及び第３のデータ系列がパラレル多重されて形成され、ディジタル映像信号を成すパラレルデータに、各１２ビットワード列データにおける各１２ビットワードを上位９ビットと下位３ビットとに分割する処理を施し、分割された上位９ビットの夫々に、それを構成するビットのうちの一つについての反転ビットを加えて１０ビットを得、その１０ビットが形成するワードが連なって成る第１のワード列データと、分割された下位３ビットの夫々とそれを構成するビットのうちの一つについての反転ビットとを含む１０ビットが形成するワードが連なって成る第２のワード列データとを形成し、第１及び第２のワード列データに夫々基づく第１及び第２のシリアルデータを得て、それらを伝送すべく送出するものとされる。
【００２３】
本願の特許請求の範囲における請求項１３または請求項１４に記載された発明に係るデータ伝送装置は、各々が１２ビットワード列データとされた第１，第２及び第３のデータ系列がパラレル多重されて形成され、ディジタル映像信号を成すパラレルデータに、各１２ビットワード列データにおける各１２ビットワードを上位１０ビットと下位２ビットとに分割する処理を施すビット分割手段，ビット分割手段により分割された上位１０ビットに混在する予め設定された禁止コードに該当する特定１０ビットを検出する禁止コード検出手段、及び、禁止コード検出手段により検出された特定１０ビットを含んでいた１２ビットワードの一つが第１，第２及び第３のデータ系列のいずれに所属するものかをあらわす識別データを得る識別データ発生手段を含み、禁止コード検出手段により特定１０ビットが検出されるとき、その特定１０ビットを禁止コードに該当しない他の１０ビットをもって置き換えるとともに、ビット分割手段により分割された下位２ビットのうちの特定１０ビットと共に１２ビットワードの一つを形成していた特定２ビットを、予め設定された置換用２ビットをもって置き換え、分割された上位１０ビットが形成するワード、もしくは、分割された上位１０ビット及び上述の他の１０ビットの夫々が形成するワードが連なって成る第１のワード列データと、分割された下位２ビットと識別データ発生手段から得られる識別データとを含む１０ビット、もしくは、分割された下位２ビットと置換用２ビットと識別データとを含む１０ビットが形成するワードが連なって成る第２のワード列データとを形成するデータ処理部と、データ処理部から得られる第１及び第２のワード列データに夫々基づく第１及び第２のシリアルデータを得るパラレル・シリアル（Ｐ／Ｓ）変換部と、Ｐ／Ｓ変換部から得られる第１及び第２のシリアルデータを伝送すべく送出するデータ送出部と、を備えて構成される。
【００２４】
特に、本願の特許請求の範囲における請求項１４に記載された発明に係るデータ伝送装置にあっては、上述のデータ処理部，Ｐ／Ｓ変換部及びデータ送出部を備えたもとで、データ処理部が、禁止コードに該当する特定１０ビットを禁止コードに該当しない他の１０ビットをもって置き換えるにあたり、当該他の１０ビットを、特定１０ビットを含んでいた１２ビットワードの一つにおける下位１０ビットに、それを構成するビットのうちの一つもしくは複数についてのビット反転処理を施したものとする。
【００２５】
本願の特許請求の範囲における請求項１５に記載された発明に係るデータ伝送装置は、各々が１２ビットワード列データとされた第１，第２及び第３のデータ系列がパラレル多重されて形成され、ディジタル映像信号を成すパラレルデータに、各１２ビットワード列データの夫々における各１２ビットワードを上位１０ビットと下位２ビットとに分割する処理を施すビット分割手段，ビット分割手段により分割された上位１０ビットに混在する予め設定された禁止コードに該当する特定１０ビットを検出する禁止コード検出手段、及び、禁止コード検出手段により検出された特定１０ビットを含んでいた１２ビットワードの一つが第１，第２及び第３のデータ系列のいずれに所属するものかをあらわす識別データを得る識別データ発生手段を含み、禁止コード検出手段により特定１０ビットが検出されるとき、その特定１０ビットを構成するビットのうちの一つもしくは複数についてのビット反転処理を施して、当該特定１０ビットを禁止コードに該当しない１０ビットに変換し、分割された上位１０ビットが形成するワード、もしくは、分割された上位１０ビット及び特定１０ビットが変換されて得られる１０ビットの夫々が形成するワードが連なって成る第１のワード列データと、ビット分割手段により分割された下位２ビットと分割された下位２ビットの一つを構成するビットのうちの一つについての反転ビットと識別データ発生手段から得られる識別データとを含む１０ビットが形成するワードが連なって成る第２のワード列データとを形成するデータ処理部と、データ処理部から得られる第１及び第２のワード列データに夫々基づく第１及び第２のシリアルデータを得るＰ／Ｓ変換部と、Ｐ／Ｓ変換部から得られる第１及び第２のシリアルデータを伝送すべく送出するデータ送出部と、を備えて構成される。
【００２６】
本願の特許請求の範囲における請求項１６に記載された発明に係るデータ伝送装置は、各々が１２ビットワード列データとされた第１，第２及び第３のデータ系列がパラレル多重されて形成され、ディジタル映像信号を成すパラレルデータに、各１２ビットワード列データの夫々における各１２ビットワードを上位９ビットと下位３ビットとに分割する処理を施すビット分割手段を含み、ビット分割手段により分割された上位９ビットの夫々に、それを構成するビットのうちの一つについての反転ビットを加えて１０ビットを得、その１０ビットが形成するワードが連なって成る第１のワード列データと、ビット分割手段により分割された下位３ビットの夫々と分割された下位３ビットの一つを構成するビットのうちの一つについての反転ビットとを含む１０ビットが形成するワードが連なって成る第２のワード列データとを形成するデータ処理部と、データ処理部から得られる第１及び第２のワード列データに夫々基づく第１及び第２のシリアルデータを得るＰ／Ｓ変換部と、Ｐ／Ｓ変換部から得られる第１及び第２のシリアルデータを伝送すべく送出するデータ送出部と、を備えて構成される。
【００２７】
このような本願の特許請求の範囲における請求項１から請求項１２までのいずれかに記載された発明に係るデータ伝送方法、あるいは、本願の特許請求の範囲における請求項１３から請求項１６までのいずれかに記載された発明に係るデータ伝送装置にあっては、各々が１２ビットワード列データとされた第１，第２及び第３のデータ系列がパラレル多重されて形成され、ディジタル映像信号を成すパラレルデータが、先ず、夫々が１０ビットワードが連なって成るものとされる第１及び第２のワード列データに変換される。その際、第１及び第２のワード列データの夫々を形成すべく連なる１０ビットワードは、それらのいずれもが、禁止コードに該当しないものとされ、それゆえ、第１及び第２のワード列データは、禁止コードに該当する特定１０ビットを含むことがなく、しかも、容易にかつ適正に元のディジタル映像信号を成すパラレルデータに戻すことができるものとされる。
【００２８】
続いて、上述のようにして得られた第１及び第２のワード列データが、各々にＰ／Ｓ変換が施されることにより、第１及び第２のシリアルデータに夫々変換され、その第１及び第２のシリアルデータが、伝送されるべく送出される。
【発明の効果】
【００２９】
上述の本願の特許請求の範囲における請求項１から請求項１２までのいずれかに記載された発明に係るデータ伝送方法、あるいは、本願の特許請求の範囲における請求項１３から請求項１６までのいずれかに記載された発明に係るデータ伝送装置によれば、例えば、量子化ビット数を１２ビットとする４：４：４形式のＤ−Ｃｉｎｅｍａ信号のような、各々が１２ビットワード列データとされる３個のデータ系列がパラレル多重されて形成されるディジタル映像信号を成すパラレルデータを、各々が禁止コードに該当する特定１０ビットを含まず、かつ、容易かつ適正に元のディジタル映像信号を成すパラレルデータに戻すことができる二つのワード列データに変換し、さらに、それらを２チャンネルのシリアルデータに変換して、伝送すべく送出することができる。そして、斯かる送出にあたっては、２チャンネルのシリアルデータを多重して１チャンネルの多重シリアルデータとすることもできる。
【００３０】
従って、例えば、量子化ビット数を１２ビットとする４：４：４形式のＤ−Ｃｉｎｅｍａ信号についての、SMPTE 372Mによる Dual Link 292M Interface に準拠したシリアル伝送を、そのＤ−Ｃｉｎｅｍａ信号が禁止コードの定めが設けられていないものであることに起因する不都合を回避できるもとで実現することができることになる。
【発明を実施するための最良の形態】
【００３１】
本願の特許請求の範囲に記載された発明を実施するための最良の形態は、以下に述べられる実施例をもって説明される。
【実施例１】
【００３２】
図１は、本願の特許請求の範囲における請求項１から請求項１０までのいずれかに記載された発明に係るデータ伝送方法の例が実施される、本願の特許請求の範囲における請求項１３から請求項１５までのいずれかに記載された発明に係るデータ伝送装置の一例を含んだデータ送受装置を示す。
【００３３】
図１に示されるデータ送受装置においては、本願の特許請求の範囲における請求項１３から請求項１５までのいずれかに記載された発明に係るデータ伝送装置の例を構成する送信側において、ディジタル映像信号を成すパラレルデータＤＶＸがデータ処理部１１に供給される。
【００３４】
ディジタルデータＤＶＸは、例えば、量子化ビット数を１２ビットとする４：４：４形式のＤ−Ｃｉｎｅｍａ信号とされる。斯かるＤ−Ｃｉｎｅｍａ信号は、例えば、フレームレートを２４Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプル以内に設定されたものとされる。
【００３５】
量子化ビット数を１２ビットとする４：４：４形式のＤ−Ｃｉｎｅｍａ信号とされたパラレルデータＤＶＸは、図２に示されるように、データレート（ワードレート）を７４．２５ＭB/s とする１２ビットワード列データとされたＧデータ系列と、データレート（ワードレート）を７４．２５ＭB/s とする１２ビットワード列データとされたＢデータ系列と、データレート（ワードレート）を７４．２５ＭB/s とする１２ビットワード列データとされたＲデータ系列とが、フレーム同期及びライン同期がとられたもとでパラレル多重されて得られる、データレート（ワードレート）を７４．２５ＭB/s とする３６ビットワード列データとして、データ処理部１１に供給される。
【００３６】
データ処理部１１は、パラレルデータＤＶＸに対するいくつかの互いに異なった態様のデータ処理のうちから選択された処理を行うものとされ、斯かるデータ処理の一つを実行する場合には、次のとおりに動作する。
【００３７】
先ず、内蔵するビット分割手段により、図２に示される如くにして供給されるパラレルデータＤＶＸに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００３８】
ビット分割手段によって分割される上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・には、例えば、前述のように０００ｈ〜００３ｈ及び３ＦＣｈ〜３ＦＦｈとされる、予め設定された禁止コードに該当する上位１０ビットである特定１０ビットが混在する可能性があるが、続いて、内蔵する禁止コード検出手段により、ビット分割手段によって分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・に混在する予め設定された禁止コードに該当する特定１０ビットの検出を行う。
【００３９】
その結果、禁止コード検出手段により禁止コードに該当する特定１０ビットが検出されない場合には、この段階での別段の処理は行わない。一方、禁止コード検出手段により禁止コードに該当する特定１０ビットが検出された場合には、内蔵する識別データ発生手段により、禁止コード検出手段により検出された禁止コードに該当する特定１０ビットが、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・のいずれ（複数の場合もある）から分割されたものか、即ち、禁止コード検出手段により検出された禁止コードに該当する特定１０ビットを含んでいた１２ビットワードが、Ｇデータ系列，Ｂデータ系列及びＲデータ系列のいずれ（複数の場合もある）に所属するものか、をあらわす識別データを得る。
【００４０】
識別データ発生手段により得られる識別データは、例えば、ＩＤ０，ＩＤ１，ＩＤ２及びＩＤ３の４ビットをもって構成される。そして、斯かる識別データは、禁止コード検出手段により検出された禁止コードに該当する特定１０ビットを含んでいた１２ビットワードの所属先について、例えば、図３に示されるように、“１１０１”をもって、Ｇデータ系列，Ｂデータ系列及びＲデータ系列の全部であること、“１０１１”をもって、Ｇデータ系列及びＢデータ系列のみであること、“１０１０”をもって、Ｂデータ系列及びＲデータ系列のみであること、“１００１”をもって、Ｒデータ系列及びＧデータ系列のみであること、“０１１１”をもって、Ｇデータ系列のみであること、“０１１０”をもって、Ｂデータ系列のみであること、及び、“０１０１”をもって、Ｒデータ系列のみであることをあらわす。
【００４１】
なお、禁止コード検出手段により禁止コードに該当する特定１０ビットが検出されず、禁止コードに該当する特定１０ビットを含んでいた１２ビットワードがＧデータ系列，Ｂデータ系列及びＲデータ系列のいずれにも所属しない場合には、識別データを構成する４ビットＩＤ０，ＩＤ１，ＩＤ２及びＩＤ３は、上述以外の“０”と“１”との組合せをとる。
【００４２】
さらに、禁止コード検出手段により禁止コードに該当する特定１０ビットが検出された場合には、検出された禁止コードに該当する特定１０ビットを含んでいた、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・のいずれかにおける下位１０ビットに、それを構成する１０ビットのうちの一つもしくは複数、例えば、その最下位ビットを一番目として上位側に数えて５番目のビットについてのビット反転処理を施して、当該下位１０ビットを禁止コードに該当することがない１０ビットに変換して、斯かる１０ビットを置換用１０ビットとし、検出された禁止コードに該当する特定１０ビットを置換用１０ビットをもって置き換える。検出された禁止コードに該当する特定１０ビットが複数ある場合には、それらの全部を夫々に対応する置換用１０ビットをもって置き換える。
【００４３】
斯かる際における特定１０ビットが該当する禁止コードと置換用１０ビットとの関係は、例えば、図４に示されるようになる。図４において、ｂ０〜ｂ９は、置換用１０ビットを構成する１０ビットを最下位ビット（ＬＳＢ：ｂ０）から最上位ビット（ＭＳＢ：ｂ９）まで順次あらわしている。置換用１０ビットは、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・のいずれかにおける下位１０ビットが、最下位ビットを一番目として上位側に数えて５番目のビットであるビットｂ４についてのビット反転がなされたものとされている。図４は、例えば、検出された特定１０ビットが該当する禁止コードが０００ｈである場合、当該特定１０ビットの置換えに用いられる置換用１０ビットが、元の下位１０ビットに応じて“０００００１００００”，“０００００１０００１”，“０００００１００１０”及び“０００００１００１１”のいずれかとされることをあらわし、さらに、他の場合も同様であることをあらわしている。図４に示される８個の置換用１０ビットのいずれもが、禁止コードに該当しないものであることは明らかである。
【００４４】
また、それとともに、禁止コード検出手段により禁止コードに該当する特定１０ビットが検出された場合には、ビット分割手段により分割された下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・のうちの、検出された禁止コードに該当する特定１０ビットと共にＧデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・のいずれかを形成していた特定２ビットについての、予め設定された置換用２ビットをもっての置換えを行う。斯かる際に用いられる置換用２ビットは、例えば、“０１”もしくは“１０”とされる。
【００４５】
そして、ビット分割手段により分割され、置換用２ビットによる置換えがなされなかった、もしくは、その一部についての置換用２ビットによる置換えがなされた、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・について、下位２ビットＧ０；０〜Ｇ０；１，Ｂ０；０〜Ｂ０；１及びＲ０；０〜Ｒ０；１をビット多重することによる６ビットＧＢＲ０（０〜１）の形成，下位２ビットＧ１；０〜Ｇ１；１，Ｂ１；０〜Ｂ１；１及びＲ１；０〜Ｒ１；１をビット多重することによる６ビットＧＢＲ１（０〜１）の形成，下位２ビットＧ２；０〜Ｇ２；１，Ｂ２；０〜Ｂ２；１及びＲ２；０〜Ｒ２；１をビット多重することによる６ビットＧＢＲ２（０〜１）の形成，下位２ビットＧ３；０〜Ｇ３；１，Ｂ３；０〜Ｂ３；１及びＲ３；０〜Ｒ３；１をビット多重することによる６ビットＧＢＲ３（０〜１）の形成，・・・・・を行う。
【００４６】
さらに、６ビットＧＢＲ０（０〜１），ＧＢＲ１（０〜１），ＧＢＲ２（０〜１），ＧＢＲ３（０〜１），・・・・・に、識別データを構成する４ビットＩＤ０，ＩＤ１，ＩＤ２及びＩＤ３を夫々加えて、１０ビットＧＢＲ０（０〜１）＋ＩＤ０〜ＩＤ３，ＧＢＲ１（０〜１）＋ＩＤ０〜ＩＤ３，ＧＢＲ２（０〜１）＋ＩＤ０〜ＩＤ３，ＧＢＲ３（０〜１）＋ＩＤ０〜ＩＤ３，・・・・・を形成する。このようにして形成される１０ビットＧＢＲ０（０〜１）＋ＩＤ０〜ＩＤ３，ＧＢＲ１（０〜１）＋ＩＤ０〜ＩＤ３，ＧＢＲ２（０〜１）＋ＩＤ０〜ＩＤ３，ＧＢＲ３（０〜１）＋ＩＤ０〜ＩＤ３，・・・・・の夫々は、置換用２ビットを含むものであっても、置換用２ビットが“０１”もしくは“１０”とされていることにより、禁止コードに該当することがないものとされる。
【００４７】
次に、ビット分割手段により分割され、検出された禁止コードに該当する特定１０ビットについての置換用１０ビットをもっての置換えがなされなかった、もしくは、検出された禁止コードに該当する特定１０ビットについての置換用１０ビットをもっての置換えがなされた、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋ＩＤ０〜ＩＤ３，ＧＢＲ１（０〜１）＋ＩＤ０〜ＩＤ３，ＧＢＲ２（０〜１）＋ＩＤ０〜ＩＤ，ＧＢＲ３（０〜１）＋ＩＤ０〜ＩＤ３，・・・・・を加えて、図５において太実線により区切られている如くにして区分された１０ビットグループ１及び１０ビットグループ２を得る。
【００４８】
そして、図５に示される１０ビットグループ１に属する１０ビットが形成する２０ビットワードが連なって成る、ワード伝送レートを７４．２５ＭB/s とする２０ビットワード列データＤＰＡ（２０）を、リンクＡとして、図６のＡに示される如くに形成するとともに、図５に示される１０ビットグループ２に属する１０ビットが形成する２０ビットワードが連なって成る、ワード伝送レートを７４．２５ＭB/s とする２０ビットワード列データＤＰＢ（２０）をリンクＢとして、図６のＢに示される如くに形成する。即ち、ワード伝送レートを７４．２５ＭB/s とする３６ビットワード列データであるＤＶＸを、ワード伝送レートを７４．２５ＭB/s とする２０ビットワード列データＤＰＡ（２０）と、ワード伝送レートを７４．２５ＭB/s とする２０ビットワード列データＤＰＢ（２０）との、２系統のワード列データに変換するのである。
【００４９】
このようにして得られる２０ビットワード列データＤＰＡ（２０）及びＤＰＢ（２０）のうちの、２０ビットワード列データＤＰＢ（２０）における識別データを構成する４ビットＩＤ０〜ＩＤ３を含んだ１０ビットワード列データを、図６のＢに示されるように、アルファチャンネルと称すると、アルファチャンネルにおける各１０ビットワードは、例えば、図７に示されるものとされる。図７において、ｂ０〜ｂ９は、アルファチャンネルにおける各１０ビットワードを構成する１０ビットを最下位ビット（ＬＳＢ：ｂ０）から最上位ビット（ＭＳＢ：ｂ９）まで順次あらわしている。そして、アルファチャンネルにおける各１０ビットワードにあっては、下位４ビット（ｂ０〜ｂ３）が、識別データを構成する４ビットＩＤ０〜ＩＤ３とされ、上位６ビット（ｂ４〜ｂ９）が、ビット分割手段により分割された、もしくは、置換用２ビットによる置換えがなされた下位２ビットＲｎ；０，Ｒｎ；１，Ｂｎ；０，Ｂｎ；１，Ｇｎ；０及びＧｎ；１とされている。
【００５０】
また、データ処理部１１は、パラレルデータＤＶＸに対するいくつかの互いに異なった態様のデータ処理のうちの他の一つを実行する場合には、次のとおりに動作する。
【００５１】
先ず、内蔵するビット分割手段により、図２に示される如くにして供給されるパラレルデータＤＶＸに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・、Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００５２】
ビット分割手段によって分割される上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・には、例えば、前述のように０００ｈ〜００３ｈ及び３ＦＣｈ〜３ＦＦｈとされる、予め設定された禁止コードに該当する上位１０ビットである特定１０ビットが混在する可能性があるが、続いて、内蔵する禁止コード検出手段により、ビット分割手段によって分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・に混在する予め設定された禁止コードに該当する特定１０ビットの検出を行う。
【００５３】
その結果、禁止コード検出手段により禁止コードに該当する特定１０ビットが検出されない場合には、この段階での別段の処理は行わない。一方、禁止コード検出手段により禁止コードに該当する特定１０ビットが検出された場合には、内蔵する識別データ発生手段により、禁止コード検出手段により検出された禁止コードに該当する特定１０ビットが、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・のいずれ（複数の場合もある）から分割されたものか、即ち、禁止コード検出手段により検出された禁止コードに該当する特定１０ビットを含んでいた１２ビットワードが、Ｇデータ系列，Ｂデータ系列及びＲデータ系列のいずれ（複数の場合もある）に所属するものか、をあらわす識別データを得る。
【００５４】
識別データ発生手段により得られる識別データは、例えば、ＩＤ０，ＩＤ１及びＩＤ２の３ビットをもって構成される。そして、斯かる識別データは、禁止コード検出手段により検出された禁止コードに該当する特定１０ビットを含んでいた１２ビットワードの所属先について、例えば、図８に示されるように、“１１１”をもって、Ｇデータ系列，Ｂデータ系列及びＲデータ系列の全部であること、“１１０”をもって、Ｇデータ系列及びＢデータ系列のみであること、“１０１”をもって、Ｂデータ系列及びＲデータ系列のみであること、“１００”をもって、Ｒデータ系列及びＧデータ系列のみであること、“０１１”をもって、Ｇデータ系列のみであること、“０１０”をもって、Ｂデータ系列のみであること、及び、“００１”をもって、Ｒデータ系列のみであることをあらわす。
【００５５】
なお、識別データは、“０００”をもって、禁止コードに該当する特定１０ビットを含んでいた１２ビットワードの所属先が、Ｇデータ系列，Ｂデータ系列及びＲデータ系列のいずれでもないことをあらわすが、その際には、禁止コード検出手段により禁止コードに該当する特定１０ビットが検出されない状態にあることに他ならない。即ち、禁止コード検出手段により禁止コードに該当する特定１０ビットが検出されないときには、識別データを構成する３ビットＩＤ０，ＩＤ１及びＩＤ２は、“０００”とされるのである。
【００５６】
さらに、禁止コード検出手段により禁止コードに該当する特定１０ビットが検出された場合には、検出された禁止コードに該当する特定１０ビットを構成する１０ビットのうちの一つもしくは複数、例えば、その最下位ビットを一番目として上位側に数えて３番目のビットについてのビット反転処理を施して、当該特定１０ビットを禁止コードに該当しない１０ビットに変換する。検出された禁止コードに該当する特定１０ビットが複数ある場合には、それらの全部について、上述と同様のビット反転処理を施し、禁止コードに該当しない１０ビットに変換する。
【００５７】
斯かる際における特定１０ビットが該当する禁止コードとビット反転処理が施された１０ビットとの関係は、例えば、図９に示されるようになる。図９において、ｂ０〜ｂ９は、ビット反転処理が施された１０ビットをその最下位ビット（ＬＳＢ：ｂ０）から最上位ビット（ＭＳＢ：ｂ９）まで順次あらわしている。また、（  ）内は、禁止コードに該当する特定１０ビットを含んでいた１２ビットワードにおけるビット順位をあらわす。
【００５８】
ビット反転処理が施された１０ビットは、禁止コードに該当する特定１０ビットに対して、その最下位ビットを一番目として上位側に数えて３番目のビットであるビットｂ２についてのビット反転がなされたものとされている。図９は、例えば、検出された特定１０ビットが該当する禁止コードが０００ｈである場合、当該特定１０ビットが変換されて得られるビット反転処理が施された１０ビットが、“０００００００１００”とされることをあらわし、さらに、他の場合も同様であることをあらわしている。図９に示される８個のビット反転処理が施された１０ビットのいずれもが、禁止コードに該当しないものであることは明らかである。
【００５９】
そして、ビット分割手段により分割された下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・について、下位２ビットＧ０；０〜Ｇ０；１，Ｂ０；０〜Ｂ０；１及びＲ０；０〜Ｒ０；１をビット多重することによる６ビットＧＢＲ０（０〜１）の形成，下位２ビットＧ１；０〜Ｇ１；１，Ｂ１；０〜Ｂ１；１及びＲ１；０〜Ｒ１；１をビット多重することによる６ビットＧＢＲ１（０〜１）の形成，下位２ビットＧ２；０〜Ｇ２；１，Ｂ２；０〜Ｂ２；１及びＲ２；０〜Ｒ２；１をビット多重することによる６ビットＧＢＲ２（０〜１）の形成，下位２ビットＧ３；０〜Ｇ３；１，Ｂ３；０〜Ｂ３；１及びＲ３；０〜Ｒ３；１をビット多重することによる６ビットＧＢＲ３（０〜１）の形成，・・・・・を行う。
【００６０】
さらに、６ビットＧＢＲ０（０〜１），ＧＢＲ１（０〜１），ＧＢＲ２（０〜１），ＧＢＲ３（０〜１），・・・・・に、各６ビットのうちのいずれか、例えば、Ｇ０；１，Ｇ１；１，Ｇ２；１，Ｇ３；１，・・・・・の各々についてビット反転をしたものに相当する反転ビットＧ０Ｎ；１，Ｇ１Ｎ；１，Ｇ２Ｎ；１，Ｇ３Ｎ；１，・・・・・を夫々付加し、、それに加えて、識別データを構成する３ビットＩＤ０，ＩＤ１及びＩＤ２を夫々付加して、１０ビットＧＢＲ０（０〜１）＋α０，ＧＢＲ１（０〜１）＋α１，ＧＢＲ２（０〜１）＋α２，ＧＢＲ３（０〜１）＋α３，・・・・・を形成する。ここで、α０，α１，α２，α３，・・・・・は、識別データを構成する３ビットＩＤ０，ＩＤ１及びＩＤ２に反転ビットＧ０Ｎを加えた４ビット，識別データを構成する３ビットＩＤ０，ＩＤ１及びＩＤ２に反転ビットＧ１Ｎを加えた４ビット，識別データを構成する３ビットＩＤ０，ＩＤ１及びＩＤ２に反転ビットＧ２Ｎを加えた４ビット，識別データを構成する３ビットＩＤ０，ＩＤ１及びＩＤ２に反転ビットＧ３Ｎを加えた４ビット，・・・・・をあらわす。このようにして形成される１０ビットＧＢＲ０（０〜１）＋α０，ＧＢＲＩ（０〜１）＋α１，ＧＢＲ２（０〜１）＋α２，ＧＢＲ３（０〜１）＋α３，・・・・・の夫々は、反転ビットＧ０Ｎ；１，Ｇ１Ｎ；１，Ｇ２Ｎ；１，Ｇ３Ｎ；１，・・・・・を含むことからして、禁止コードに該当することがないものとされる。
【００６１】
次に、ビット分割手段により分割され、ビット反転処理が施された１０ビットへの変換がなされなかった、もしくは、一部についてビット反転処理が施されて１０ビットへの変換がなされた、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋α０，ＧＢＲ１（０〜１）＋α１，ＧＢＲ２（０〜１）＋α２，ＧＢＲ３（０〜１）＋α３，・・・・・を加えて、図１０において太実線により区切られているようにして区分された１０ビットグループ１及び１０ビットグループ２を得る。
【００６２】
そして、図１０に示される１０ビットグループ１に属する１０ビットが形成する２０ビットワードが連なって成る、ワード伝送レートを７４．２５ＭB/s とする２０ビットワード列データＤＰＡ（２０）を、リンクＡとして、図１１のＡに示される如くに形成するとともに、図１０に示される１０ビットグループ２に属する１０ビットが形成する２０ビットワードが連なって成る、ワード伝送レートを７４．２５ＭB/s とする２０ビットワード列データＤＰＢ（２０）をリンクＢとして、図１１のＢに示される如くに形成する。即ち、ワード伝送レートを７４．２５ＭB/s とする３６ビットワード列データであるＤＶＸを、ワード伝送レートを７４．２５ＭB/s とする２０ビットワード列データＤＰＡ（２０）と、ワード伝送レートを７４．２５ＭB/s とする２０ビットワード列データＤＰＢ（２０）との、２系統のワード列データに変換するのである。
【００６３】
このようにして得られる２０ビットワード列データＤＰＡ（２０）及びＤＰＢ（２０）のうちの２０ビットワード列データＤＰＢ（２０）における４ビットα０，α１，α２，α３，・・・・・を含んだ１０ビットワード列データを、図１１のＢに示されるように、アルファチャンネルと称すると、アルファチャンネルにおける各１０ビットワードは、例えば、図１２に示されるものとされる。図１２において、ｂ０〜ｂ９は、アルファチャンネルにおける各１０ビットワードを構成する１０ビットを最下位ビット（ＬＳＢ：ｂ０）から最上位ビット（ＭＳＢ：ｂ９）まで順次あらわしている。そして、アルファチャンネルにおける各１０ビットワードにあっては、下位３ビット（ｂ０〜ｂ２）が、識別データを構成する３ビットＩＤ０〜ＩＤ２とされ、中間位６ビット（ｂ３〜ｂ８）が、ビット分割手段により分割された下位２ビットＲｎ；０，Ｒｎ；１，Ｂｎ；０，Ｂｎ；１，Ｇｎ；０及びＧｎ；１とされ、そして、最上位ビット（ｂ９）が反転ビットＧｎＮ；１、即ち、一位だけ下位のビット（ｂ８）であるＧｎ；１を反転させたものに相当するビットとされている。
【００６４】
データ処理部１１は、上述の如くにして得たワード伝送レートを７４．２５ＭB/s とする２０ビットワード列データＤＰＡ（２０）及びＤＰＢ（２０）を、データ挿入部１２Ａ及びデータ挿入部１２Ｂに夫々供給する。
【００６５】
データ挿入部１２Ａにあっては、２０ビットワード列データＤＰＡ（２０）に、必要に応じたチャンネル識別データを含む補助データＤＡＡを挿入し、補助データＤＡＡが挿入された２０ビットワード列データＤＰＡ’（２０）を形成する。データ挿入部１２Ａから得られる２０ビットワード列データＤＰＡ’（２０）は、Ｐ／Ｓ変換部１３Ａに供給される。
【００６６】
Ｐ／Ｓ変換部１３Ａにあっては、２０ビットワード列データＤＰＡ’（２０）にＰ／Ｓ変換を施して、２０ビットワード列データＤＰＡ’（２０）に基づくビット伝送レートを７４．２５ＭB/s ×２０＝１．４８５Ｇb/s とするシリアルデータＤＳＡを形成し、そのシリアルデータＤＳＡを電光変換部（Ｅ／Ｏ変換部）１４Ａに供給する。
【００６７】
一方、データ挿入部１２Ｂにあっては、２０ビットワード列データＤＰＢ（２０）に、必要に応じたチャンネル識別データを含む補助データＤＡＢを挿入し、補助データＤＡＢが挿入された２０ビットワード列データＤＰＢ’（２０）を形成する。データ挿入部１２Ｂから得られる２０ビットワード列データＤＰＢ’（２０）は、Ｐ／Ｓ変換部１３Ｂに供給される。
【００６８】
Ｐ／Ｓ変換部１３Ｂにあっては、２０ビットワード列データＤＰＢ’（２０）にＰ／Ｓ変換を施して、２０ビットワード列データＤＰＢ’（２０）に基づくビット伝送レートを７４．２５ＭB/s ×２０＝１．４８５Ｇb/s とするシリアルデータＤＳＢを形成し、そのシリアルデータＤＳＢをＥ／Ｏ変換部１４Ｂに供給する。
【００６９】
Ｅ／Ｏ変換部１４Ａは、光信号形成部を形成しており、シリアルデータＤＳＡに電光変換処理を施して、シリアルデータＤＳＡに基づく、ビット伝送レートを１．４８５Ｇb/s とし、例えば、略１．３μｍとされる中心波長を有した光信号ＯＳＡを形成する。そして、このＥ／Ｏ変換部１４Ａから得られる光信号ＯＳＡは、合波部１５に導かれる。また、Ｅ／Ｏ変換部１４Ｂも、光信号形成部を形成しており、シリアルデータＤＳＢに電光変換処理を施して、シリアルデータＤＳＢに基づく、ビット伝送レートを１．４８５Ｇb/s とし、例えば、略１．５５μｍとされる中心波長を有した光信号ＯＳＢを形成する。そして、このＥ／Ｏ変換部１４Ｂから得られる光信号ＯＳＢも、合波部１５に導かれる。
【００７０】
合波部１５は、方向性結合器型もしくは誘電体多層膜型波長多重（ＷＤＭ）カップラ等によって形成され、Ｅ／Ｏ変換部１４Ａからの中心波長を略１．３μｍとする光信号ＯＳＡとＥ／Ｏ変換部１４Ｂからの中心波長を略１．５５μｍとする光信号ＯＳＢとを合波して多重化し、多重光信号ＯＺＶを伝送信号として送出する。斯かるもとで、Ｅ／Ｏ変換部１４Ａ及び１４Ｂと合波部１５とは、Ｐ／Ｓ変換部１３Ａ及び１３Ｂから夫々得られるシリアルデータＤＳＡ及びＤＳＢを伝送すべく送出するデータ送出部を形成している。
【００７１】
合波部１５から送出される伝送信号である多重光信号ＯＺＶは、光コネクタ１６を通じて光ファイバー伝送路２０に導かれ、光ファイバー伝送路２０を通じて受信側へと伝送される。光ファイバー伝送路２０は、例えば、石英系シングルモードファイバー（石英系ＳＭＦ）が用いられて形成される。
【００７２】
受信側においては、光ファイバー伝送路２０を通じて伝送された多重光信号ＯＺＶが、光コネクタ２１を通じて分波部２２へと導かれる。分波部２２は、方向性結合器型もしくは誘電体多層膜型波長多重（ＷＤＭ）カップラ等によって形成され、多重光信号ＯＺＶに波長分離処理を施して分波し、多重光信号ＯＺＶから、ビット伝送レートを１．４８５Ｇb/s とし、中心波長を略１．３μｍとする光信号ＯＳＡとビット伝送レートを１．４８５Ｇb/s とし、中心波長を略１．５５μｍとする光信号ＯＳＢとを、分離して導出する。これらの分波部２２から得られる光信号ＯＳＡ及びＯＳＢは、光電変換部（Ｏ／Ｅ変換部）２３Ａ及び２３Ｂに夫々導かれる。
【００７３】
Ｏ／Ｅ変換部２３Ａは、ビット伝送レートを１．４８５Ｇb/s とし、中心波長を略１．３μｍとする光信号ＯＳＡに光電変換処理を施して、光信号ＯＳＡに基づく、ビット伝送レートを１．４８５Ｇb/s とするシリアルデータＤＳＡを再生する。また、Ｏ／Ｅ変換部２３Ｂは、ビット伝送レートを１．４８５Ｇb/s とし、中心波長を略１．５５μｍとする光信号ＯＳＢに光電変換処理を施して、光信号ＯＳＢに基づく、ビット伝送レートを１．４８５Ｇb/s とするシリアルデータＤＳＢを再生する。そして、Ｏ／Ｅ変換部２３Ａから得られるシリアルデータＤＳＡ及びＯ／Ｅ変換部２３Ｂから得られるシリアルデータＤＳＢは、Ｓ／Ｐ変換部２４Ａ及び２４Ｂに夫々供給される。
【００７４】
Ｓ／Ｐ変換部２４Ａにあっては、シリアルデータＤＳＡにＳ／Ｐ変換を施して、シリアルデータＤＳＡに基づく、ワード伝送レートを７４．２５ＭB/s とする２０ビットワード列データＤＰＡ’（２０）を再生し、それをデータ分離部２５Ａに供給する。データ分離部２５Ａにあっては、２０ビットワード列データＤＰＡ’（２０）から、チャンネル識別データを含んだ補助データＤＡＡが分離されて、２０ビットワード列データＤＰＡ（２０）と補助データＤＡＡとが個別に送出され、２０ビットワード列データＤＰＡ（２０）は、データ時間差吸収部２６に供給される。
【００７５】
また、Ｓ／Ｐ変換部２４Ａにあっては、シリアルデータＤＳＢにＳ／Ｐ変換を施して、シリアルデータＤＳＢに基づく、ワード伝送レートを７４．２５ＭB/s とする２０ビットワード列データＤＰＢ’（２０）を再生し、それをデータ分離部２５Ｂに供給する。データ分離部２５Ｂにあっては、２０ビットワード列データＤＰＢ’（２０）から、チャンネル識別データを含んだ補助データＤＡＢが分離されて、２０ビットワード列データＤＰＢ（２０）と補助データＤＡＢとが個別に送出され、２０ビットワード列データＤＰＢ（２０）は、データ時間差吸収部２６に供給される。
【００７６】
データ時間差吸収部２６にあっては、データ分離部２５Ａからの２０ビットワード列データＤＰＡ（２０）とデータ分離部２５Ｂからの２０ビットワード列データＤＰＢ（２０）との間に生じた相互時間差を吸収し、２０ビットワード列データＤＰＡ（２０）に基づくワード伝送レートを７４．２５ＭB/s とする２０ビットワード列データＤＰＡＱ（２０）と、２０ビットワード列データＤＰＢ（２０）に基づくワード伝送レートを７４．２５ＭB/s とする２０ビットワード列データＤＰＢＱ（２０）とを、相互時間差が実質的に無い状態に維持されることが目指されるものとして送出する。
【００７７】
データ時間差吸収部２６から得られる２０ビットワード列データＤＰＡＱ（２０）及びＤＰＢＱ（２０）は、データ再生処理部３０に供給される。データ再生処理部３０にあっては、内蔵された識別データ検出手段による、２０ビットワード列データＤＰＡＱ（２０）及びＤＰＢＱ（２０）からの、例えば、ＩＤ０，ＩＤ１，ＩＤ２及びＩＤ３の４ビットもしくはＩＤ０，ＩＤ１及びＩＤ２の３ビットにより構成された識別データの検出を行う。そして、識別データ検出手段により検出された識別データを用いて、２０ビットワード列データＤＰＡＱ（２０）及びＤＰＢＱ（２０）に対し、送信側におけるデータ処理部１１によりパラレルデータＤＶＸに施されるデータ変換処理とは逆のデータ再生処理を施し、２０ビットワード列データＤＰＡＱ（２０）及びＤＰＢＱ（２０）に基づくパラレルデータＤＶＸを再生する。斯かるパラレルデータＤＶＸは、例えば、量子化ビット数を１２ビットとする４：４：４形式のＤ−Ｃｉｎｅｍａ信号とされる。
【実施例２】
【００７８】
図１３は、本願の特許請求の範囲における請求項１１または請求項１２に記載された発明に係るデータ伝送方法の例が実施される、本願の特許請求の範囲における請求項１６に記載された発明に係るデータ伝送装置の一例を含んだデータ送受装置を示す。
【００７９】
図１３に示されるデータ送受装置は、図１に示されるデータ送受装置と同様に構成された部分を多々有しており、図１３においては、図１に示される各回路ブロック，信号，データ等に対応する回路ブロック，信号，データ等が、図１と共通の符号が付されて示されており、それらについての重複説明は省略される。
【００８０】
図１３に示されるデータ送受装置においては、本願の特許請求の範囲における請求項１６に記載された発明に係るデータ伝送装置の例を構成する送信側において、ディジタル映像信号を成すパラレルデータＤＶＸがデータ処理部４１に供給される。このディジタルデータＤＶＸも、例えば、前述のような量子化ビット数を１２ビットとする４：４：４形式のＤ−Ｃｉｎｅｍａ信号とされる。
【００８１】
量子化ビット数を１２ビットとする４：４：４形式のＤ−Ｃｉｎｅｍａ信号とされたパラレルデータＤＶＸは、図１に示されるデータ送受装置の場合と同様に、図２に示されるように、データレート（ワードレート）を７４．２５ＭB/s とする１２ビットワード列データとされたＧデータ系列と、データレート（ワードレート）を７４．２５ＭB/s とする１２ビットワード列データとされたＢデータ系列と、データレート（ワードレート）を７４．２５ＭB/s とする１２ビットワード列データとされたＲデータ系列とが、フレーム同期及びライン同期がとられたもとでパラレル多重されて得られる、データレート（ワードレート）を７４．２５ＭB/s とする３６ビットワード列データとして、データ処理部４１に供給される。
【００８２】
データ処理部４１は、パラレルデータＤＶＸに対するデータ処理動作を、次のとおりに行う。
【００８３】
先ず、内蔵するビット分割手段により、パラレルデータＤＶＸに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位９ビットＧ０；３〜Ｇ０；１１，Ｇ１；３〜Ｇ１；１１，Ｇ２；３〜Ｇ２；１１，Ｇ３；３〜Ｇ３；１１，・・・・・，Ｂ０；３〜Ｂ０；１１，Ｂ１；３〜Ｂ１；１１，Ｂ２；３〜Ｂ２；１１，Ｂ３；３〜Ｂ３；１１，・・・・・、及び、Ｒ０；３〜Ｒ０；１１，Ｒ１；３〜Ｒ１；１１，Ｒ２；３〜Ｒ２；１１，Ｒ３；３〜Ｒ３；１１，・・・・・と、下位３ビットＧ０；０〜Ｇ０；２，Ｇ１；０〜Ｇ１；２，Ｇ２；０〜Ｇ２；２，Ｇ３；０〜Ｇ３；２，・・・・・．Ｂ０；０〜Ｂ０；２，Ｂ１；０〜Ｂ１；２，Ｂ２；０〜Ｂ２；２，Ｂ３；０〜Ｂ３；２，・・・・・、及び、Ｒ０；０〜Ｒ０；２，Ｒ１；０〜Ｒ１；２，Ｒ２；０〜Ｒ２；２，Ｒ３；０〜Ｒ３；２，・・・・・とに分割する処理を施す。
【００８４】
続いて、ビット分割手段によって分割された上位９ビットＧ０；３〜Ｇ０；１１，Ｇ１；３〜Ｇ１；１１，Ｇ２；３〜Ｇ２；１１，Ｇ３；３〜Ｇ３；１１，・・・・・，Ｂ０；３〜Ｂ０；１１，Ｂ１；３〜Ｂ１；１１，Ｂ２；３〜Ｂ２；１１，Ｂ３；３〜Ｂ３；１１，・・・・・、及び、Ｒ０；３〜Ｒ０；１１，Ｒ１；３〜Ｒ１；１１，Ｒ２；３〜Ｒ２；１１，Ｒ３；３〜Ｒ３；１１，・・・・・の夫々における最上位ビットＧ０；１１，Ｇ１；１１，Ｇ２；１１，Ｇ３；１１，・・・・・，Ｂ０；１１，Ｂ１；１１，Ｂ２；１１，Ｂ３；１１，・・・・・、及び、Ｒ０；１１，Ｒ１；１１，Ｒ２；１１，Ｒ３；１１，・・・・・の各々についてビット反転をしたものに相当する反転ビットＧ０Ｎ；１１，Ｇ１Ｎ；１１，Ｇ２Ｎ；１１，Ｇ３Ｎ；１１，・・・・・，Ｂ０Ｎ；１１，Ｂ１Ｎ；１１，Ｂ２Ｎ；１１，Ｂ３Ｎ；１１，・・・・・、及び、Ｒ０Ｎ；１１，Ｒ１Ｎ；１１，Ｒ２Ｎ；１１，Ｒ３Ｎ；１１，・・・・・を得る。そして、斯かる反転ビットＧ０Ｎ；１１，Ｇ１Ｎ；１１，Ｇ２Ｎ；１１，Ｇ３Ｎ；１１，・・・・・，Ｂ０Ｎ；１１，Ｂ１Ｎ；１１，Ｂ２Ｎ；１１，Ｂ３Ｎ；１１，・・・・・、及び、Ｒ０Ｎ；１１，Ｒ１Ｎ；１１，Ｒ２Ｎ；１１，Ｒ３Ｎ；１１，・・・・・を、分割された上位９ビットＧ０；３〜Ｇ０；１１，Ｇ１；３〜Ｇ１；１１，Ｇ２；３〜Ｇ２；１１，Ｇ３；３〜Ｇ３；１１，・・・・・，Ｂ０；３〜Ｂ０；１１，Ｂ１；３〜Ｂ１；１１，Ｂ２；３〜Ｂ２；１１，Ｂ３；３〜Ｂ３；１１，・・・・・、及び、Ｒ０；３〜Ｒ０；１１，Ｒ１；３〜Ｒ１；１１，Ｒ２；３〜Ｒ２；１１，Ｒ３；３〜Ｒ３；１１，・・・・・に夫々加えて、１０ビットＧ０；３〜Ｇ０；１１＋Ｇ０Ｎ；１１，Ｇ１；３〜Ｇ１；１１＋Ｇ１Ｎ；１１，Ｇ２；３〜Ｇ２；１１＋Ｇ２Ｎ；１１，Ｇ３；３〜Ｇ３；１１＋Ｇ３Ｎ；１１，・・・・・，Ｂ０；３〜Ｂ０；１１＋Ｂ０Ｎ；１１，Ｂ１；３〜Ｂ１；１１＋Ｂ１Ｎ；１１，Ｂ２；３〜Ｂ２；１１＋Ｂ２Ｎ；１１，Ｂ３；３〜Ｂ３；１１＋Ｂ３Ｎ；１１，・・・・・、及び、Ｒ０；３〜Ｒ０；１１＋Ｒ０Ｎ；１１，Ｒ１；３〜Ｒ１；１１＋Ｒ１Ｎ；１１，Ｒ２；３〜Ｒ２；１１＋Ｒ２Ｎ；１１，Ｒ３；３〜Ｒ３；１１＋Ｒ３Ｎ；１１，・・・・・を得る。
【００８５】
このようにして得られる１０ビットＧ０；３〜Ｇ０；１１＋Ｇ０Ｎ；１１，Ｇ１；３〜Ｇ１；１１＋Ｇ１Ｎ；１１，Ｇ２；３〜Ｇ２；１１＋Ｇ２Ｎ；１１，Ｇ３；３〜Ｇ３；１１＋Ｇ３Ｎ；１１，・・・・・，Ｂ０；３〜Ｂ０；１１＋Ｂ０Ｎ；１１，Ｂ１；３〜Ｂ１；１１＋Ｂ１Ｎ；１１，Ｂ２；３〜Ｂ２；１１＋Ｂ２Ｎ；１１，Ｂ３；３〜Ｂ３；１１＋Ｂ３Ｎ；１１，・・・・・、及び、Ｒ０；３〜Ｒ０；１１＋Ｒ０Ｎ；１１，Ｒ１；３〜Ｒ１；１１＋Ｒ１Ｎ；１１，Ｒ２；３〜Ｒ２；１１＋Ｒ２Ｎ；１１，Ｒ３；３〜Ｒ３；１１＋Ｒ３Ｎ；１１，・・・・・は、反転ビットＧ０Ｎ；１１，Ｇ１Ｎ；１１，Ｇ２Ｎ；１１，Ｇ３Ｎ；１１，・・・・・，Ｂ０Ｎ；１１，Ｂ１Ｎ；１１，Ｂ２Ｎ；１１，Ｂ３Ｎ；１１，・・・・・、及び、Ｒ０Ｎ；１１，Ｒ１Ｎ；１１，Ｒ２Ｎ；１１，Ｒ３Ｎ；１１，・・・・・を夫々含むものであることからして、いずれもが、禁止コードに該当することがないものとされる。
【００８６】
また、ビット分割手段により分割された下位３ビットＧ０；０〜Ｇ０；２，Ｇ１；０〜Ｇ１；２，Ｇ２；０〜Ｇ２；２，Ｇ３；０〜Ｇ３；２，・・・・・、Ｂ０；０〜Ｂ０；２，Ｂ１；０〜Ｂ１；２，Ｂ２；０〜Ｂ２；２，Ｂ３；０〜Ｂ３；２，・・・・・、及び、Ｒ０；０〜Ｒ０；２，Ｒ１；０〜Ｒ１；２，Ｒ２；０〜Ｒ２；２，Ｒ３；０〜Ｒ３；２，・・・・・について、下位３ビットＧ０；０〜Ｇ０；２，Ｂ０；０〜Ｂ０；２及びＲ０；０〜Ｒ０；２をビット多重することによる９ビットＧＢＲ０（０〜２）の形成，下位３ビットＧ１；０〜Ｇ１；２，Ｂ１；０〜Ｂ１；２及びＲ１；０〜Ｒ１；２をビット多重することによる９ビットＧＢＲ１（０〜２）の形成，下位３ビットＧ２；０〜Ｇ２；２，Ｂ２；０〜Ｂ２；２及びＲ２；０〜Ｒ２；２をビット多重することによる９ビットＧＢＲ２（０〜２）の形成，下位３ビットＧ３；０〜Ｇ３；２，Ｂ３；０〜Ｂ３；２及びＲ３；０〜Ｒ３；２をビット多重することによる９ビットＧＢＲ３（０〜２）の形成，・・・・・を行う。
【００８７】
さらに、９ビットＧＢＲ０（０〜２），ＧＢＲ１（０〜２），ＧＢＲ２（０〜２），ＧＢＲ３（０〜２），・・・・・に、各９ビットのうちのいずれか、例えば、Ｇ０；２，Ｇ１；２，Ｇ２；２，Ｇ３；２，・・・・・の各々についてビット反転をしたものに相当する反転ビットＧ０Ｎ；２，Ｇ１Ｎ；２，Ｇ２Ｎ；２，Ｇ３Ｎ；２，・・・・・を夫々加えて、１０ビットＧＢＲ０（０〜２）＋Ｇ０Ｎ；２，ＧＢＲ１（０〜２）＋Ｇ１Ｎ；２，ＧＢＲ２（０〜２）＋Ｇ２Ｎ；２，ＧＢＲ３（０〜２）＋Ｇ３Ｎ；２，・・・・・を形成する。このようにして形成される１０ビットＧＢＲ０（０〜２）＋Ｇ０Ｎ；２，ＧＢＲ１（０〜２）＋Ｇ１Ｎ；２，ＧＢＲ２（０〜２）＋Ｇ２Ｎ；２，ＧＢＲ３（０〜２）＋Ｇ３Ｎ；２，・・・・・の夫々は、反転ビットＧ０Ｎ；２，Ｇ１Ｎ；２，Ｇ２Ｎ；２，Ｇ３Ｎ；２，・・・・・を含むことからして、禁止コードに該当することがないものとされる。
【００８８】
次にビット分割手段により分割された分割された上位９ビットＧ０；３〜Ｇ０；１１，Ｇ１；３〜Ｇ１；１１，Ｇ２；３〜Ｇ２；１１，Ｇ３；３〜Ｇ３；１１，・・・・・，Ｂ０；３〜Ｂ０；１１，Ｂ１；３〜Ｂ１；１１，Ｂ２；３〜Ｂ２；１１，Ｂ３；３〜Ｂ３；１１，・・・・・、及び、Ｒ０；３〜Ｒ０；１１，Ｒ１；３〜Ｒ１；１１，Ｒ２；３〜Ｒ２；１１，Ｒ３；３〜Ｒ３；１１，・・・・・に、反転ビットＧ０Ｎ；１１，Ｇ１Ｎ；１１，Ｇ２Ｎ；１１，Ｇ３Ｎ；１１，・・・・・，Ｂ０Ｎ；１１，Ｂ１Ｎ；１１，Ｂ２Ｎ；１１，Ｂ３Ｎ；１１，・・・・・、及び、Ｒ０Ｎ；１１，Ｒ１Ｎ；１１，Ｒ２Ｎ；１１，Ｒ３Ｎ；１１，・・・・・が、夫々加えられて形成された１０ビットＧ０；３〜Ｇ０；１１＋Ｇ０Ｎ；１１，Ｇ１；３〜Ｇ１；１１＋Ｇ１Ｎ；１１，Ｇ２；３〜Ｇ２；１１＋Ｇ２Ｎ；１１，Ｇ３；３〜Ｇ３；１１＋Ｇ３Ｎ；１１，・・・・・，Ｂ０；３〜Ｂ０；１１＋Ｂ０Ｎ；１１，Ｂ１；３〜Ｂ１；１１＋Ｂ１Ｎ；１１，Ｂ２；３〜Ｂ２；１１＋Ｂ２Ｎ；１１，Ｂ３；３〜Ｂ３；１１＋Ｂ３Ｎ；１１，・・・・・、及び、Ｒ０；３〜Ｒ０；１１＋Ｒ０Ｎ；１１，Ｒ１；３〜Ｒ１；１１＋Ｒ１Ｎ；１１，Ｒ２；３〜Ｒ２；１１＋Ｒ２Ｎ；１１，Ｒ３；３〜Ｒ３；１１＋Ｒ３Ｎ；１１，・・・・・を、グループ１とグループ２とに振り分けるとともに、グループ２に、１０ビットＧＢＲ０（０〜２）＋Ｇ０Ｎ；２，ＧＢＲ１（０〜２）＋Ｇ１Ｎ；２，ＧＢＲ２（０〜２）＋Ｇ２Ｎ；２，ＧＢＲ３（０〜２）＋Ｇ３Ｎ；２，・・・・・を加え、図５における太実線による区切と同様の区切をなして、図５に示される１０ビットグループ１及び１０ビットグループ２と同様の１０ビットグループ１及び１０ビットグループ２を得る。
【００８９】
そして、１０ビットグループ１に属する各１０ビットが形成する２０ビットワードが連なって成る、ワード伝送レートを７４．２５ＭB/s とする２０ビットワード列データＤＰＡ（２０）を、リンクＡとして、図６のＡに示される２０ビットワード列データＤＰＡ（２０）と同様に形成するとともに、１０ビットグループ２に属する各１０ビットが形成する２０ビットワードが連なって成る、ワード伝送レートを７４．２５ＭB/s とする２０ビットワード列データＤＰＢ（２０）を、リンクＢとして、図６のＢに示される２０ビットワード列データＤＰＢ（２０）と同様に形成する。即ち、ワード伝送レートを７４．２５ＭB/s とする３６ビットワード列データであるＤＶＸを、ワード伝送レートを７４．２５ＭB/s とする２０ビットワード列データＤＰＡ（２０）と、ワード伝送レートを７４．２５ＭB/s とする２０ビットワード列データＤＰＢ（２０）との、２系統のワード列データに変換するのである。
【００９０】
このようにして得られる２０ビットワード列データＤＰＡ（２０）及びＤＰＢ（２０）のうちの２０ビットワード列データＤＰＡ（２０）を構成する各２０ビットワードにおける二つの１０ビットワードの夫々、即ち、リンクＡにおける各１０ビットワードは、例えば、図１４に示されるものとされる。図１４において、ｂ０〜ｂ９は、リンクＡにおける各１０ビットワードを構成する１０ビットを最下位ビット（ＬＳＢ：ｂ０）から最上位ビット（ＭＳＢ：ｂ９）まで順次あらわしている。そして、リンクＡにおける各１０ビットワードにあっては、下位９ビット（ｂ０〜ｂ８）が、データ分割手段により分割された上位９ビットであるＣｎ；３〜Ｃｎ；１１とされ、最上位ビット（ｂ９）が反転ビットＣｎＮ；１１、即ち、一位だけ下位のビット（ｂ８）であるＣｎ；１１を反転させたものに相当するビットとされている。
【００９１】
また、上述のようにして得られる２０ビットワード列データＤＰＡ（２０）及びＤＰＢ（２０）のうちの２０ビットワード列データＤＰＢ（２０）における、１０ビットＧＢＲ０（０〜２）＋Ｇ０Ｎ；２，ＧＢＲ１（０〜２）＋Ｇ１Ｎ；２，ＧＢＲ２（０〜２）＋Ｇ２Ｎ；２，ＧＢＲ３（０〜２）＋Ｇ３Ｎ；２，・・・・・を含む１０ビットワード列データを、アルファチャンネルと称すると、このアルファチャンネルにおける各１０ビットワードは、例えば、図１５に示されるものとされる。図１５において、ｂ０〜ｂ９は、アルファチャンネルにおける各１０ビットワードを構成する１０ビットを最下位ビット（ＬＳＢ：ｂ０）から最上位ビット（ＭＳＢ：ｂ９）まで順次あらわしている。そして、このアルファチャンネルにおける各１０ビットワードにあっては、下位９ビット（ｂ０〜ｂ８）が、ビット分割手段により分割された下位３ビットＲｎ；０〜Ｒｎ；２，Ｂｎ；０〜Ｂｎ；２及びＧｎ；０〜Ｇｎ；２とされ、最上位ビット（ｂ９）が反転ビットＧｎＮ；２、即ち、一位だけ下位のビット（ｂ８）であるＧｎ；２を反転させたものに相当するビットとされている。
【００９２】
データ処理部４１は、上述の如くにして得たワード伝送レートを７４．２５ＭB/s とする２０ビットワード列データＤＰＡ（２０）及びＤＰＢ（２０）を、データ挿入部１２Ａ及びデータ挿入部１２Ｂに夫々供給する。
【００９３】
データ挿入部１２Ａ及び１２Ｂを含む、上述のデータ処理部４１以外の部分は、図１に示されるデータ送受装置におけるデータ処理部１１以外の部分と同様に動作する。但し、図１３に示されるデータ送受装置の受信側におけるデータ再生処理部３０は、識別データ検出手段を内蔵する必要がないものとされ、識別データを用いることなく、２０ビットワード列データＤＰＡＱ（２０）及びＤＰＢＱ（２０）に、送信側におけるデータ処理部４１によりパラレルデータＤＶＸに施されるデータ変換処理とは逆のデータ再生処理を施し、２０ビットワード列データＤＰＡＱ（２０）及びＤＰＢＱ（２０）に基づくパラレルデータＤＶＸを再生する。斯かるパラレルデータＤＶＸも、例えば、量子化ビット数を１２ビットとする４：４：４形式のＤ−Ｃｉｎｅｍａ信号とされる。
【産業上の利用可能性】
【００９４】
上述のような本願の特許請求の範囲における請求項１から１２までのいずれかに記載された発明に係るデータ伝送方法、及び、本願の特許請求の範囲における請求項１３から１６までのいずれかに記載された発明に係るデータ伝送装置は、例えば、量子化ビット数を１２ビットとする４：４：４形式のＤ−Ｃｉｎｅｍａ信号についての、SMPTE 372Mによる Dual Link 292M Interface に準拠したシリアル伝送を、適正に行うことができるものとして、広範に適用され得るものである。
【図面の簡単な説明】
【００９５】
【図１】本願の特許請求の範囲における請求項１から請求項１０までのいずれかに記載された発明に係るデータ伝送方法の例が実施される、本願の特許請求の範囲における請求項１３から請求項１５までのいずれかに記載された発明に係るデータ伝送装置の一例を含んだデータ送受装置を示すブロック接続図である。
【図２】図１に示されるデータ送受装置におけるデータ処理部の動作説明に供されるデータをあらわす概念図である。
【図３】図１に示されるデータ送受装置におけるデータ処理部において形成される識別データの一例の説明に供される対応関係図である。
【図４】図１に示されるデータ送受装置におけるデータ処理部の動作説明に供される対応関係図である。
【図５】図１に示されるデータ送受装置におけるデータ処理部の動作説明に供されるデータをあらわす概念図である。
【図６】図１に示されるデータ送受装置におけるデータ処理部の動作説明に供されるデータをあらわす概念図である。
【図７】図１に示されるデータ送受装置におけるデータ処理部の動作説明に供されるデータをあらわす概念図である。
【図８】図１に示されるデータ送受装置におけるデータ処理部において形成される識別データの他の例の説明に供される対応関係図である。
【図９】図１に示されるデータ送受装置におけるデータ処理部の動作説明に供される対応関係図である。
【図１０】図１に示されるデータ送受装置におけるデータ処理部の動作説明に供されるデータをあらわす概念図である。
【図１１】図１に示されるデータ送受装置におけるデータ処理部の動作説明に供されるデータをあらわす概念図である。
【図１２】図１に示されるデータ送受装置におけるデータ処理部の動作説明に供されるデータをあらわす概念図である。
【図１３】本願の特許請求の範囲における請求項１１または請求項１２に記載された発明に係るデータ伝送方法の例が実施される、本願の特許請求の範囲における請求項１６に記載された発明に係るデータ伝送装置の一例を含んだデータ送受装置を示すブロック接続図である。
【図１４】図１３に示されるデータ送受装置におけるデータ処理部の動作説明に供されるデータをあらわす概念図である。
【図１５】図１３に示されるデータ送受装置におけるデータ処理部の動作説明に供されるデータをあらわす概念図である。
【符号の説明】
【００９６】
１１，４１・・・データ処理部，  １２Ａ，１２Ｂ・・・データ挿入部，  １３Ａ，１３Ｂ・・・Ｐ／Ｓ変換部，  １４Ａ，１４Ｂ・・・Ｅ／Ｏ変換部，  １５・・・合波部，  １６，２１・・・光コネクタ，  ２０・・・光ファイバー伝送路，  ２２・・・分波部，  ２３Ａ，２３Ｂ・・・Ｏ／Ｅ変換部，  ２４Ａ，２４Ｂ・・・Ｓ／Ｐ変換部，  ２５Ａ，２５Ｂ・・・データ分離部，  ２６・・・データ時間差吸収部，  ３０・・・データ再生処理部
【図１】
2005192043.tif 000003
【図２】
2005192043.tif 000004
【図３】
2005192043.tif 000005
【図４】
2005192043.tif 000006
【図５】
2005192043.tif 000007
【図６】
2005192043.tif 000008
【図７】
2005192043.tif 000009
【図８】
2005192043.tif 000010
【図９】
2005192043.tif 000011
【図１０】
2005192043.tif 000012
【図１１】
2005192043.tif 000013
【図１２】
2005192043.tif 000014
【図１３】
2005192043.tif 000015
【図１４】
2005192043.tif 000016
【図１５】
2005192043.tif 000017
【手続補正書】
【提出日】平成16年12月22日(2004.12.22)
【手続補正１】
【補正対象書類名】特許請求の範囲
【補正対象項目名】請求項４
【補正方法】変更
【補正の内容】
【請求項４】
上記第２のワード列データを、上記第１，第２及び第３のデータ系列に夫々属する３個の１２ビットワードの各々から分割された３個の下位２ビット、もしくは、該３個の下位２ビットうちの少なくとも一つが上記置換用２ビットにより置き換えられて成る３個の下位２ビットと上記識別データとを含む１０ビットが形成するワードが連なって成るものとすることを特徴とする請求項１記載のデータ伝送方法。
【手続補正２】
【補正対象書類名】明細書
【補正対象項目名】００３４
【補正方法】変更
【補正の内容】
【００３４】
パラレルデータＤＶＸは、例えば、量子化ビット数を１２ビットとする４：４：４形式のＤ−Ｃｉｎｅｍａ信号とされる。斯かるＤ−Ｃｉｎｅｍａ信号は、例えば、フレームレートを２４Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプル以内に設定されたものとされる。
【手続補正３】
【補正対象書類名】明細書
【補正対象項目名】００４７
【補正方法】変更
【補正の内容】
【００４７】
次に、ビット分割手段により分割され、検出された禁止コードに該当する特定１０ビットについての置換用１０ビットをもっての置換えがなされなかった、もしくは、検出された禁止コードに該当する特定１０ビットについての置換用１０ビットをもっての置換えがなされた、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋ＩＤ０〜ＩＤ３，ＧＢＲ１（０〜１）＋ＩＤ０〜ＩＤ３，ＧＢＲ２（０〜１）＋ＩＤ０〜ＩＤ３，ＧＢＲ３（０〜１）＋ＩＤ０〜ＩＤ３，・・・・・を加えて、図５において太実線により区切られている如くにして区分された１０ビットグループ１及び１０ビットグループ２を得る。
【手続補正４】
【補正対象書類名】明細書
【補正対象項目名】００６０
【補正方法】変更
【補正の内容】
【００６０】
さらに、６ビットＧＢＲ０（０〜１），ＧＢＲ１（０〜１），ＧＢＲ２（０〜１），ＧＢＲ３（０〜１），・・・・・に、各６ビットのうちのいずれか、例えば、Ｇ０；１，Ｇ１；１，Ｇ２；１，Ｇ３；１，・・・・・の各々についてビット反転をしたものに相当する反転ビットＧ０Ｎ；１，Ｇ１Ｎ；１，Ｇ２Ｎ；１，Ｇ３Ｎ；１，・・・・・を夫々付加し、それに加えて、識別データを構成する３ビットＩＤ０，ＩＤ１及びＩＤ２を夫々付加して、１０ビットＧＢＲ０（０〜１）＋α０，ＧＢＲ１（０〜１）＋α１，ＧＢＲ２（０〜１）＋α２，ＧＢＲ３（０〜１）＋α３，・・・・・を形成する。ここで、α０，α１，α２，α３，・・・・・は、識別データを構成する３ビットＩＤ０，ＩＤ１及びＩＤ２に反転ビットＧ０Ｎ；１を加えた４ビット，識別データを構成する３ビットＩＤ０，ＩＤ１及びＩＤ２に反転ビットＧ１Ｎ；１を加えた４ビット，識別データを構成する３ビットＩＤ０，ＩＤ１及びＩＤ２に反転ビットＧ２Ｎ；１を加えた４ビット，識別データを構成する３ビットＩＤ０，ＩＤ１及びＩＤ２に反転ビットＧ３Ｎ；１を加えた４ビット，・・・・・をあらわす。このようにして形成される１０ビットＧＢＲ０（０〜１）＋α０，ＧＢＲＩ（０〜１）＋α１，ＧＢＲ２（０〜１）＋α２，ＧＢＲ３（０〜１）＋α３，・・・・・の夫々は、反転ビットＧ０Ｎ；１，Ｇ１Ｎ；１，Ｇ２Ｎ；１，Ｇ３Ｎ；１，・・・・・を含むことからして、禁止コードに該当することがないものとされる。